(57)【要約】      （修正有）【課題】墨出し線を基準とした土台の正確な位置合わせと、外装板又は外装板の一部となる板状体の正確な位置合わせとを容易に行うことができる建造物の施工方法を提供する。【解決手段】基礎の上面１１に、土台３０の位置合わせのための墨出し線13を描く工程と、所定の厚さを有する矩形板状の基体21の長辺外側面22に上下方向に貫通した複数の溝25が形成された基礎パッキン２０を、溝を介して上方から墨出し線を視認し得るように、基礎の上面１１に載置する工程と、土台３０の外側面が墨出し線の上方に位置するように、土台３０を基礎パッキン２０の上面に載置する工程と、土台３０の外側面より外部空間側における基礎パッキン２０の上面に、外装板又は当該外装板の一部となる板状体50を載置する工程とを含む。【選択図】図１
2005299177.tif 000002
【特許請求の範囲】
【請求項１】
基礎と土台との間に基礎パッキンを設ける建造物の施工方法であって、
前記基礎の上面に、前記土台の位置合わせのための墨出し線を描く工程と、
所定の厚さを有する矩形板状の基体の長辺外側面に上下方向に貫通した複数の溝が形成された基礎パッキンを、前記溝を介して上方から前記墨出し線を視認し得るように、前記基礎の上面に載置する工程と、
前記土台の外側面が前記墨出し線の上方に位置するように、前記土台を前記基礎パッキンの上面に載置する工程と、
前記土台の外側面より外部空間側における前記基礎パッキンの上面に、外装板又は当該外装板の一部となる板状体を載置する工程と
を含むことを特徴とする建造物の施工方法。
【請求項２】
基礎と土台との間に基礎パッキンを設ける建造物の施工方法であって、
所定の厚さを有する矩形板状の基体の長辺外側面に上下方向に貫通した複数の溝が形成された基礎パッキンを、当該基礎パッキンの一方の長辺外側面が前記基礎の外壁面より外部空間側に位置するように、前記基礎の上面に載置することを特徴とする建造物の施工方法。
【請求項３】
墨出し線が上面に描かれた基礎と、
所定の厚さを有する矩形板状の基体の長辺外側面に上下方向に貫通した複数の溝が形成され、かつ、前記溝を介して上方から前記墨出し線を視認し得るように前記基礎の上面に載置された基礎パッキンと、
その外側面が前記墨出し線の上方に位置するように前記基礎パッキンの上面に載置された土台と、
前記土台の外側面より外部空間側における前記基礎パッキンの上面に載置され、かつ、外装板又は当該外装板の一部となる板状体と
を備えたことを特徴とする建造物。
【請求項４】
基礎と土台との間に基礎パッキンが設けられた建造物であって、
所定の厚さを有する矩形板状の基体の長辺外側面に上下方向に貫通した複数の溝が形成された基礎パッキンが、当該基礎パッキンの一方の長辺外側面が前記基礎の外壁面より外部空間側に位置するように、前記基礎の上面に載置されていることを特徴とする建造物。
【発明の詳細な説明】
【技術分野】
【０００１】
この発明は、基礎パッキンを基礎と土台との間に設ける建造物の施工方法と、当該建造物とに関する。特に、基礎パッキンを布基礎と木製土台との間に設ける建造物の施工方法と、当該建造物とに関する。
【背景技術】
【０００２】
木造住宅等の建造物を建築する手法としては、例えば、建物を建てるべき部位の外殻部や内殻部にコンクリート製の基礎を作った後、基礎の上面に土台の位置合わせ用の墨出し線を描き、墨出し線を基準として基礎の上に木材の土台を固定し、木製土台の上に柱を立て、柱の上に梁を載せるという手法がある。このような手法は、伝統的な日本建築の手法であり、木造住宅の建築において広く採用されている。
【０００３】
コンクリート基礎（布基礎）は、セメント、砂、水を混合して流動状にして予め組み立てた金属製又は木製の型枠に流し込み、数日放置して固化させることにより作られる。この型枠は金属製又は木製の板を複数組み合わせて現場にて設置されるものであるので、その設置時の各板の位置合わせ状態を一直線上に並ぶように設置することは困難であることから、固化したコンクリート基礎の側縁にうねりが生じてしまうのが一般的である。そこで、コンクリート基礎の上面に墨出し線を描くことにより、この墨出し線を基準としてコンクリート基礎に対して木製土台が正確な位置に配置するようにしている。なお、コンクリート基礎の上面に描かれる墨出し線としては、例えば、木製土台の中心線で位置合わせを行うための心墨や、心墨から所定寸法だけ離して平行に描かれる逃げ墨等が用いられる。
【０００４】
このように墨出し線を描いて木製土台を載置する手法によれば、コンクリート基礎の側縁にうねりが生じていても、うねりのある側縁を基準として木製土台を配置するのではなく、正確な直線を呈する墨出し線を基準として、コンクリート基礎の上面に木製土台を精度よく載置することができるが、その一方で、水分を大量に含み、且つ、長期的に水分を排出するコンクリート自体の特性によって、コンクリート基礎が直接接触する木製土台との接触部位で、木製土台がコンクリート基礎の水分を吸って湿り乾燥しにくくなり、湿って乾燥を阻害すると経時的に木製土台の腐朽を招来するという問題があった。
また、コンクリート基礎と木製土台との間には隙間がないので、両者の間から換気するということができないのであるが、木造住宅においては、床下の換気を行う必要があるため、一般的に、コンクリート基礎の適当な部位に、例えば、縦２００ｍｍ×横４００ｍｍ程度の換気穴を形成するということが行われていた。しかし、コンクリート基礎には木造住宅の荷重等に耐え得るだけの充分な強度が必要であるため、このような大きな換気穴を多数形成することは困難であり、形成可能な換気穴の数には制限があった。そのため、床下空間の換気穴から遠い隅部には湿気が滞留し易いという問題があった。
【０００５】
このような理由により、従来の木造住宅の床下は、換気を充分に行うことができず湿気がこもり易く、木製土台は、床下の湿気とコンクリート基礎の水分とを吸収して常に湿った状態にあった。そのため、長年の間に土台が腐朽してしまうという問題があった。また、床下においてシロアリの繁殖に好適な湿気と温度とが保たれてしまい、シロアリによって土台が喰い荒らされるという問題もあった。また、換気が悪いとシロアリの他に腐朽菌が土台や柱に繁殖し、土台や柱を腐朽させるという問題もあった。さらに、コンクリート基礎に換気穴を形成すると、木造住宅の荷重等によって、換気穴の隅部からコンクリート基礎に亀裂が入ってしまうという問題もあった。
【０００６】
このような問題を解決するために創案されたものが基礎パッキンである。基礎パッキンは、基礎と土台との間に設けられるものであり、長い実績を保ち現在も数多く木造住宅の建設に用いられている。なお、本出願人の先願である特許文献１〜３に、基礎パッキンの形状や材質が詳しく述べられている。
【０００７】
従来の基礎パッキンの一例について、図面を用いて説明する。
図５は、従来の基礎パッキンの一例を模式的に示す斜視図である。
基礎パッキン１００は、前後辺にそれぞれ３つの窪み１０１を有し、長手方向端辺には突起１０２と窪み１０３とを有する。突起１０２と窪み１０３とは、雌雄嵌合可能な形状となっている。基礎パッキン１００の土台と接触する面には、通気のために長手方向に伸びた溝１０４が形成されている。また、基礎パッキン１００には、上下方向に貫通した穴１０５が形成されている。穴１０５は、コンクリート基礎から上方へ突出したアンカーボルトを挿通するためのものである。また、基礎パッキン１００は、長さＬが２００ｍｍ、幅Ｗが１００ｍｍ、高さＨが２０ｍｍ程度の大きさを有している。
【０００８】
一の基礎パッキン１００の突起１０２を、他の基礎パッキン１００の窪み１０３に嵌合すると、２枚の基礎パッキン１００を長手方向に結合することができる。また、一の基礎パッキン１００の突起１０２を、他の基礎パッキン１００の窪み１０１に嵌合すると、２枚の基礎パッキン１００をＴ字型に組み合わせることができる。このように、長手方向又は前後方向に基礎パッキン１００を繋ぎ合わせ、コンクリート基礎の面上に並べることができる。
【０００９】
このような基礎パッキンを、アンカーボルトが設けられた部分のコンクリート基礎の上面に載置する。コンクリート基礎の直角の隅部では、２枚の基礎パッキンをＴ字型又はＬ字型に組み合わせて載置する。コンクリート基礎の直線部では、基礎パッキンを１枚ずつ載置することもあるが、２枚の基礎パッキンを上述したように長手方向に結合して載置することもある。そして、基礎パッキンの上面に、アンカーボルトの通し穴を穿った土台用木材を載置し、アンカーボルトにナットを螺合させて緊締することにより、コンクリート基礎と基礎パッキンと木製土台とを固定することができる。勿論、単にコンクリート基礎の上面に基礎パッキンを載置するだけの部分もある。
【００１０】
通常、コンクリート基礎の上面の全周域に基礎パッキンを載置するのではなく、一定の間隔を空けて載置し、基礎パッキンが載置されていない部分の隙間（高さ２０ｍｍ程度）を換気穴として利用する。従って、基礎パッキンを用いることにより、コンクリート基礎に換気穴を形成する必要がなるため、基礎工事を省力化することができ、コンクリート基礎の強度を充分に保つことができる。また、木製土台の横滑りを防止して耐震性の高い構造とすることができる。また、水分を含むコンクリート基礎と木製土台との間に基礎パッキンが介装されるので木製土台に水分が浸潤しない。従って、木製土台の腐朽やシロアリの喰害を受け難く、木製土台の耐久性が向上して木造住宅の寿命が長くすることができる。
【００１１】
さらに、コンクリート基礎の上面に一定の間隔を空けて基礎パッキンを載置するため、コンクリート基礎の上面に描いた墨出し線の全てが基礎パッキンによって視認し得ない状態となることはない。従って、基礎パッキンを基礎の上面に載置しても、墨出し線を基準とした正確な木製土台の位置合わせを行うことができる。
【００１２】
このように基礎パッキンを用いる施工方法は基礎パッキン工法と称される。基礎パッキン工法によれば、建造物の換気性を向上させ、木製土台の腐朽やシロアリの喰害を防止することができ、建造物は堅牢となり耐震性を高めることができる。また、施工が簡便となり省略化を図ることができるという利点もある。
【００１３】
近年では、基礎パッキンについて種々の工夫がなされており、その一つとして、長尺の基礎パッキンが存在する。長尺の基礎パッキンは、図５に示した基礎パッキン１００（以下、短尺の基礎パッキンともいう）に比べて、その長さが長く、例えば、長さＬが９００ｍｍ程度ある。長尺の基礎パッキンによれば、コンクリート基礎の上面の全周域を覆うように載置しても部品点数が増大してしまうということがない。
【００１４】
また、コンクリート基礎の上面の全周域を覆うように長尺の基礎パッキンを載置する場合、コンクリート基礎の上面に一定の間隔を空けて短尺の基礎パッキンを載置する場合と比べて、基礎パッキンの位置合わせが不要となる。従って、施工がより簡便となり、さらなる省力化を図ることができる。
また、コンクリート基礎の上面に一定の間隔を空けて短尺の基礎パッキンを載置する場合、施工業者の技術力等によって、位置合わせの精度にばらつきが生じるおそれがあるが、コンクリート基礎の上面の全周域を覆うように長尺の基礎パッキンを載置する場合には、位置合わせの作業が不要となり、施工の質を均一化させることができる。
さらに、コンクリート基礎の上面の全周域を覆うように長尺の基礎パッキンを載置すると、木製土台の荷重が長尺の基礎パッキンの全域に均等に掛かることになるため、木製土台に撓み等が生じるおそれもない。
【００１５】
このように、コンクリート基礎の上面の全周域を覆うように長尺の基礎パッキンを載置する施工方法には、多くの利点があり、近年では広く用いられるようになっている。
図６は、コンクリート基礎の上面の全周域を覆うように長尺の基礎パッキンを載置した様子を模式的に示す斜視図である。図中、２００はコンクリート基礎、２０１及び２０２は部屋となる領域、２０３は玄関となる領域、３０２はアンカーボルトをそれぞれ示している。
【００１６】
図６に示すように、コンクリート基礎２００の上面には、その全周域を覆うように長尺の基礎パッキン３００、３０１が載置されている。玄関となる領域２０３を囲うコンクリート基礎２００の上面には、通気用の貫通穴がその側面に形成されていない中実体の基礎パッキン（以下、遮蔽型の基礎パッキンともいう）３００が載置されている。
部屋となる領域２０１、２０２を囲うコンクリート基礎２００の上面には、通気用の貫通孔がその側面に形成されている基礎パッキン（以下、換気型の基礎パッキンともいう）３０１が載置されている。
【００１７】
図６に示したように、コンクリート基礎の上面の全周域を覆うように長尺の基礎パッキンを載置する施工方法を用いる場合には、通常、遮蔽型の基礎パッキンと換気型の基礎パッキンとの両方を使用する。これは、以下のような理由による。すなわち、床下がなくて室内空間と外部空間とが土台を介して両側で接する箇所（例えば、玄関、勝手口、土間部等）においては、基礎パッキンから通気させる必要はなく、通気させると却って室内空間の気密性が悪化して冷暖房効率が低下してしまうから、遮蔽型の基礎パッキンを使用しているのである。一方、他の箇所においては、換気型の基礎パッキンを使用することにより、基礎パッキン自体に換気穴としての機能を持たせているのである。
【００１８】
【特許文献１】実開昭５４−１８１７２１号公報
【特許文献２】実開昭５４−１８１７０８号公報
【特許文献３】特公昭５５−４０７３４号公報
【発明の開示】
【発明が解決しようとする課題】
【００１９】
しかしながら、上述したように、コンクリート基礎の上面の全周域を覆うように長尺の基礎パッキンを略隙間なく載置する施工方法を用いる場合には、以下のような問題が生じることがあった。
【００２０】
図７（ａ）〜（ｃ）は、従来の建造物の施工方法の一例を模式的に示す斜視図である。
まず、幅１２０ｍｍのコンクリート基礎４１０の上面４１１に、墨出し線（逃げ墨）４１３を描く（図７（ａ）参照）。墨出し線４１３は、コンクリート基礎１０の壁面４１２から３ｍｍ程度離間している。
【００２１】
次に、基礎パッキン４２０をコンクリート基礎４１０の上面４１１に載置する。基礎パッキン４２０は、アンカーボルト（図示せず）を挿通させるためのボルト挿通孔４２４が複数形成された基体４２１からなり、長さ９１０ｍｍ、幅１２０ｍｍ、高さ２０ｍｍである。この基礎パッキン４２０を幅１２０ｍｍのコンクリート基礎４１０の上面４１１に載置すると、基礎パッキン４２０によって墨出し線４１３が覆われ、墨出し線４１３を視認することができなくなってしまう（図７（ｂ）参照）。
【００２２】
その後、基礎パッキン４２０上に木製土台４３０を載置し、アンカーボルト（図示せず）によってコンクリート基礎４１０と木製土台４３０とを固定する。そして、コンクリート基礎４１０の壁面４１２及び基礎パッキン４２０の側面４２２に、モルタル４４０を塗布して硬化させ、モルタル４４０の上側に位置するように、外装板の一部となる板状体（例えば、合板等）４５０を木製土台４３０に取り付ける（図７（ｃ）参照）。
【００２３】
このように、図７に示した施工方法では、コンクリート基礎４１０の上面４１１の全周域を覆うように基礎パッキン４２０を載置するため、基礎パッキン４２０によって墨出し線４１３が覆われ、木製土台４３０を載置する際には、墨出し線４１３を視認することができない。従って、墨出し線４１３を基準とした木製土台４３０の正確な位置合わせを行うことが困難であり、スムーズな施工を行うことができないという問題があった。
【００２４】
このような問題は、幅の狭い基礎パッキンをコンクリート基礎４１０の上面４１１に所定間隔を隔てて複数配置すれば、当該基礎パッキン間から墨出し線を覗くことができることから、解消し得るとも考えられるが、幅の狭い基礎パッキンを使用した場合には、以下のような別の問題が生じることがあった。
【００２５】
図８（ａ）〜（ｂ）は、従来の建造物の施工方法の他の一例を模式的に示す斜視図である。
まず、幅１２０ｍｍのコンクリート基礎４１０の上面４１１に、図７（ａ）と同様に墨出し線４１３を描いた後、図７に示した基礎パッキン４２０より幅が狭い基礎パッキン５２０を、コンクリート基礎４１０の上面４１１に載置する（図８（ａ）参照）。基礎パッキン５２０は、基体５２１の幅が１０２ｍｍである以外、図７に示した基礎パッキン４２０と同形状を有する。基礎パッキン５２０は基体５２１の幅が狭いので、幅１２０ｍｍのコンクリート基礎４１０の上面に載置する際に、基礎パッキン４２０によって墨出し線４１３が覆われないようにすることが可能である。
【００２６】
その後、基礎パッキン５２０上に木製土台４３０を載置し、アンカーボルト（図示せず）によってコンクリート基礎４１０と木製土台４３０とを固定する。そして、コンクリート基礎４１０の壁面４１２及び基礎パッキン５２０の側面５２２に、モルタル４４０を塗布して硬化させ、モルタル４４０の上側に位置するように板状体４５０を木製土台４３０に取り付ける（図８（ｂ）参照）。
【００２７】
図８に示した施工方法では、基礎パッキン５２０を載置しても墨出し線４１３を視認可能な状態が維持されるため、墨出し線４１３を基準とした木製土台４３０の正確な位置合わせを行うことができる。
しかしながら、幅の狭い基礎パッキン５２０を使用する工法の場合には、基礎パッキン５２０がその上方に載置される木製土台４３０から受ける家屋の荷重に耐え得るように、コンクリート基礎４１０の上面４１１に所定間隔を隔てて所定位置に基礎パッキン５２０を載置する必要がある。このような幅の狭い基礎パッキン５２０の載置位置や間隔等の注意事項は、この幅の狭い基礎パッキン５２０を提供する施工者に対して、施工方法のマニュアル等を配布したり、研修を行ってその施工方法を熟知してもらうように促しているが、施工者の熟練度が影響するといった問題は否めないものであった。
そこで、基礎パッキンを上述したようにコンクリート基礎４１０の上面４１１の全周に載置することで、施工者の熟練度によらず安全性を確保し得ることが提案されているが、これにより、新たに墨出し線が視認することができなくなるという問題が発生するのである。
【００２８】
また、モルタル４４０の上面４４１を精度よく平坦とするのは困難であり、上面４４１には多少の凹凸が生じてしまうため、板状体４５０を取り付ける際にモルタル４４０の上面４４１を基準とした板状体４５０の位置合わせを行った場合、位置合わせを正確に行うことが困難であり、スムーズな施工を行うことができないという問題があった。
【００２９】
本発明は、上述した課題に鑑みてなされたものであり、その目的は、墨出し線を基準とした土台の正確な位置合わせを容易に行うことができる基礎パッキンを用いた建造物の施工方法及び建造物を提供することにある。また、本発明の目的は、外装板又は外装板の一部となる板状体の正確な位置合わせを容易に行うことができる基礎パッキンを用いた建造物の施工方法及び建造物を提供することにある。
【課題を解決するための手段】
【００３０】
上述した課題を解決するために、本発明は、以下のようなものを提供する。
（１）基礎と土台との間に基礎パッキンを設ける建造物の施工方法であって、
上記基礎の上面に、上記土台の位置合わせのための墨出し線を描く工程と、
所定の厚さを有する矩形板状の基体の長辺外側面に上下方向に貫通した複数の溝が形成された基礎パッキンを、上記溝を介して上方から上記墨出し線を視認し得るように、上記基礎の上面に載置する工程と、
上記土台の外側面が上記墨出し線の上方に位置するように、上記土台を上記基礎パッキンの上面に載置する工程と、
上記土台の外側面より外部空間側における上記基礎パッキンの上面に、外装板又は当該外装板の一部となる板状体を載置する工程と
を含むことを特徴とする建造物の施工方法。
【００３１】
（１）の発明によれば、基礎の上面を覆うように基礎パッキンを載置しても、溝を介して上方から墨出し線を視認することができるため、複数の基礎パッキンを基準線としての墨出し線に沿って精度良く設置することが可能となる。このように精度良く複数の基礎パッキンを上記基準線に沿って設置することによって、平面視矩形板状の基礎パッキンの長辺外側面が複数の基礎パッキン間で略一直線上に並ぶことになる。そして、複数の基礎パッキンの長辺外側面が略一直線上に並んで第２の基準線として機能するので、この第２の基準線としての長辺外側面群に沿って土台の外側面を位置決めし、土台を基礎パッキンの上面に設置することによって、間接的に上記墨出し線を基準とした土台の位置合わせを行うことができ、スムーズな施工を行うことができる。
【００３２】
基礎パッキンは金型成形等によって製造されるため、基礎パッキンの長辺外側面には、うねりが生じることがなく、その平坦さが充分に確保される。従って、基礎パッキンの長辺外側面群に沿って土台の外側面を位置決めすることにより、土台の位置合わせを正確に行うことができる。
【００３３】
また、基礎パッキンの長辺外側面に形成された溝を介して上方より墨出し線を視認し得るから、例えば、基礎上面の中央寄りに墨出し線を描いて、溝の底面が墨出し線の上方に位置するように基礎パッキンを基礎の上面に載置することができる。このように、（１）の発明によれば、基礎上面の中央寄りに墨出し線を描いても、墨出し線が視認し得る状態を確保することができるから、基礎の側縁にうねりが生じている場合であっても、基礎上面に確実に墨出し線を描くことができる利点もある。
【００３４】
また、モルタルを塗布する際、基礎パッキンの長辺外側面に形成された複数の溝にモルタルが入り込んで硬化するため、モルタルと基礎パッキンとの密着性が向上し、モルタルの剥離を防止することができるとともに、基礎パッキンの滑りや横ズレ等を防止することができる。さらに、幅の狭い基礎パッキンを用いなくても、墨出し線を視認可能な状態とすることができるため、幅の広い基礎パッキンを用いて基礎パッキンと基礎又は土台との接触面積を充分に確保することができる。従って、基礎パッキン又は土台の滑りや横ズレを防止することができ、振動や衝撃等によって基礎パッキンが変形してしまうことを防止することができる。
【００３５】
さらに、本発明は、以下のようなものを提供する。
（２）基礎と土台との間に基礎パッキンを設ける建造物の施工方法であって、
所定の厚さを有する矩形板状の基体の長辺外側面に上下方向に貫通した複数の溝が形成された基礎パッキンを、当該基礎パッキンの一方の長辺外側面が上記基礎の外壁面より外部空間側に位置するように、上記基礎の上面に載置することを特徴とする建造物の施工方法。
【００３６】
（２）の発明によれば、基礎パッキンの一方の長辺外側面が、上記基礎の外側面より外部空間側に位置するため、基礎パッキンの上面に土台を載置しても、基礎パッキンの上面の全てが土台によって覆われることがなく、当該基礎パッキンの外部空間側に突出した部分（以下、突出部分ともいう）の上面には土台が及ばない。従って、突出部分の上面（基礎パッキンの上面）を基準として、外装板又は外装板の一部となる板状体の位置合わせを容易に行うことが可能となり、スムーズな施工を行うことが可能となる。
また、モルタルを塗布する際、基礎パッキンの長辺外側面に形成された複数の溝にモルタルが入り込んで硬化するため、モルタルと基礎パッキンとの密着性が向上し、モルタルの剥離を防止することができるとともに、基礎パッキンの滑りや横ズレ等を防止することができる。
【００３７】
また、（２）の発明においては、基礎パッキンの一方の長辺外側面に形成された溝の底面と基礎の壁面とが略同一平面上に位置するように、基礎パッキンを基礎の上面に載置し、溝の底面を基準とした土台の位置合わせを行うことができる。このようにした場合、墨出し線を描く工程を省略し、基礎の壁面を基準とした土台の位置合わせを行うことができる。
【００３８】
また、（２）の発明においては、基礎の上面に墨出し線（逃げ墨）を描いた後、基礎パッキンの一方の長辺外側面に形成された溝の底面が墨出し線上に位置するように、基礎パッキンを基礎の上面に載置し、溝の底面を基準とした土台の位置合わせを行うことができる。このようにした場合、基礎にうねりが生じていても、墨出し線を基準とした基礎パッキンの位置合わせと土台の位置合わせとを行うことができる。
【００３９】
さらに、本発明は、以下のようなものを提供する。
（３）墨出し線が上面に描かれた基礎と、
所定の厚さを有する矩形板状の基体の長辺外側面に上下方向に貫通した複数の溝が形成され、かつ、上記溝を介して上方から上記墨出し線を視認し得るように上記基礎の上面に載置された基礎パッキンと、
その外側面が上記墨出し線の上方に位置するように上記基礎パッキンの上面に載置された土台と、
上記土台の外側面より外部空間側における上記基礎パッキンの上面に載置され、かつ、外装板又は当該外装板の一部となる板状体と
を備えたことを特徴とする建造物。
【００４０】
（３）の発明によれば、土台と基礎との間に基礎パッキンが設けられているにも拘わらず、墨出し線を基準とした土台の位置合わせが行われているため、土台が精度よく設けられた建造物を提供することができる。さらに、基礎パッキンの長辺外側面に形成された溝にモルタルが入り込んで硬化するため、モルタルと基礎パッキンとの密着性に優れ、モルタルの剥離、基礎パッキンの滑りや横ズレが生じるおそれがない。
【００４１】
さらに、本発明は、以下のようなものを提供する。
（４）基礎と土台との間に基礎パッキンが設けられた建造物であって、
所定の厚さを有する矩形板状の基体の長辺外側面に上下方向に貫通した複数の溝が形成された基礎パッキンが、当該基礎パッキンの一方の長辺外側面が上記基礎の外壁面より外部空間側に位置するように、上記基礎の上面に載置されていることを特徴とする建造物。
【００４２】
（４）の発明によれば、外装板又は外装板の一部となる板状体の位置合わせが突出部分の上面を基準として行われているため、外装板又は外装板の一部となる板状体が精度よく取り付けられた建造物を提供することができる。また、基礎パッキンの長辺外側面に形成された複数の溝にモルタルが入り込んで硬化するため、モルタルと基礎パッキンとの密着性に優れ、モルタルの剥離を防止することができる。
【発明の効果】
【００４３】
本発明によれば、墨出し線を基準とした土台の正確な位置合わせを容易に行うことができるとともに、外装板又は外装板の一部となる板状体の正確な位置合わせを容易に行うことができ、さらに、基礎パッキン又は土台の滑りや横ズレと、振動や衝撃等による基礎パッキンの変形とを防止することができる。
【発明を実施するための最良の形態】
【００４４】
本発明に係る建造物の施工方法について図面に基づいて説明する。なお、以下においては、理解を容易とするために、本発明の一実施形態として各部分又は要素の寸法を示すこととするが、本発明は、勿論、これらの寸法によって限定されるものではない。
【００４５】
［第１実施形態］
図１（ａ）〜（ｃ）は、第１実施形態に係る建造物の施工方法の一例を模式的に示す部分拡大斜視図である。図２は、図１（ｂ）に示した基礎パッキン及び基礎を上方から見た様子を模式的に示す平面図である。
【００４６】
（ｉ）建造物（図示せず）を建てるべき部分の内殻部及び外殻部に、幅Ｗｆ１５０ｍｍのコンクリート基礎１０（図２参照）を作る。具体的には、まず、木製の型枠（図示せず）を組み立て、次に、セメント、砂、水を混合して流動状にして型枠に流し込み、数日放置して固化させてコンクリート基礎１０を作る。このようにした場合、木製の型枠が水分を含んで変形してしまい、コンクリート基礎１０にうねりが生じることがある。
【００４７】
次に、コンクリート基礎１０の上面１１に、墨出し線（逃げ墨）１３を描く（図１（ａ）参照）。墨出し線１３は、木製土台３０の外側面で木製土台３０の位置合わせを行うためのものであり、コンクリート基礎１０にうねりがあっても木製土台３０を正確に載置し得るようにするためのものである。墨出し線１３と壁面１２との距離Ｇは６ｍｍ程度である（図２参照）。
【００４８】
（ii）上述したように、コンクリート基礎１０の上面に墨出し線１３を描いた後、上面１１上に基礎パッキン２０を載置する（図１（ｂ）、図２参照）。
ここで、基礎パッキン２０について説明する。基礎パッキン２０は、矩形板状の基体２１からなり、基体の幅Ｗｐは１２０ｍｍである。図示しないが、基体２１の長さは９１０ｍｍであり、高さは２０ｍｍである。また、基体２１の長辺外側面２２には、上下方向に貫通した複数の溝２５（深さＤ：６ｍｍ）が形成されている（図２参照）。
図中、２３は、溝２５の底面であり、２４は、コンクリート基礎１０に垂設されたアンカーボルト（図示せず）を挿通するためのボルト挿通孔である。
【００４９】
（ii）の工程においては、基礎パッキン２０を、溝２５を介して上方から墨出し線２１を視認し得るように、コンクリート基礎１０の上面１１に載置する（図１（ｂ）、図２参照）。このとき、図１（ｂ）、図２に示すように、溝２５の底面２３が墨出し線２１の上方に位置するように基礎パッキン２０を載置するようにすれば、基礎パッキン２０の位置合わせが容易となり、施工をよりスムーズにすることができる。
【００５０】
また、第１実施形態においては、図１（ｂ）、図２に示すように、基礎パッキン２０の長辺外側面２２と、コンクリート基礎１０の側面１２とが略同一平面上に位置するようにコンクリート基礎１０の上面１１に基礎パッキン２０を載置している。このような工法は、一般的に外面（そとづら）施工と称されるものである。なお、コンクリート基礎１０の上面１１に基礎パッキン２０を載置する工法としては、外面施工の他に、例えば、コンクリート基礎１０の中心線と基礎パッキンの中心線とを合わせる芯々施工等がある。
【００５１】
（iii）次に、基礎パッキン２０上に木製土台３０を載置する。このとき、基礎パッキン２０の長辺外側面２２を基準として木製土台３０の外側面を位置決めして木製土台３０を載置することができるので、間接的に墨出し線１３を基準とした木製土台３０の位置合わせを行うことができ、スムーズな施工を行うことができる。その後、アンカーボルト（図示せず）によって、コンクリート基礎１０と木製土台３０とを固定する。
【００５２】
次に、コンクリート基礎１０の壁面１２と、基礎パッキン２０の長辺外側面２２とにモルタル４０を塗布して硬化させる。このとき、基礎パッキン２０の長辺外側面２２に形成された複数の溝２５にモルタル４０が入り込んで硬化するため、モルタル４０と基礎パッキン２０との密着性が向上し、モルタル４０の剥離を防止することができる。
（iv）次に、モルタル４０の上側に位置するように、外装板の一部となる板状体（例えば、合板等）５０を木製土台３０に取り付ける（図１（ｃ）参照）。
【００５３】
図１及び図２を用いて説明したように、第１実施形態に係る建造物の施工方法によれば、コンクリート基礎１０の上面１１を覆うように基礎パッキン２０を載置しても、溝２５を介して墨出し線１３を視認することができるため、複数の基礎パッキン２０を基準線としての墨出し線１３に精度良く設置することが可能となる。このように精度良く複数の基礎パッキン２０を上記基準線に沿って設置することによって、平面視矩形板状の基礎パッキン２０の長辺外側面２２が複数の基礎パッキン２０間で略一直線上に並ぶことになる。そして、複数の基礎パッキン２０の長辺外側面２２が略一直線上に並んで第２の基準線として機能するので、この第２の基準線としての長辺外側面２２群に沿って木製土台３０の外側面を位置決めし、木製土台３０を基礎パッキン２０の上面２６に設置することによって、間接的に墨出し線１３を基準とした木製土台３０の位置合わせを行うことができ、スムーズな施工を行うことができる。
【００５４】
また、モルタル４０を塗布する際、基礎パッキン２０の長辺外側面２２に形成された複数の溝２５にモルタル４０が入り込んで硬化するため、モルタル４０と基礎パッキン２０との密着性が向上し、モルタル４０の剥離を防止することができるとともに、基礎パッキン２０の滑りや横ズレ等を防止することができる。
【００５５】
また、図２に示したように、幅Ｗｐ１２０ｍｍの基礎パッキンを、幅Ｗｆ１２０ｍｍのコンクリート基礎１０の上面１１に載置しても、コンクリート基礎１０の上面に描いた墨出し線（逃げ墨）１３を視認可能な状態とすることができる。このように第１実施形態に係る建造物の施工方法によれば、幅の広い基礎パッキンを使用することができ、基礎パッキン２０とコンクリート基礎１０又は木製土台３０との接触面積を充分に確保することができる。従って、基礎パッキン２０又は木製土台３０の滑りや横ズレを防止することができ、振動や衝撃等によって基礎パッキン２０が変形してしまうことを防止することができる。
【００５６】
また、第１実施形態に係る建造物の施工方法により施工された建造物は、木製土台３０とコンクリート基礎１０との間に基礎パッキン２０が設けられているにも拘わらず、墨出し線１３を基準とした木製土台３０の位置合わせが行われているため、木製土台３０が精度よく設けられる。さらに、基礎パッキン２０の長辺外側面２２に形成された溝２５にモルタル４０が入り込んで硬化するため、モルタル４０と基礎パッキン２０との密着性に優れ、モルタル４０の剥離、基礎パッキン２０の滑りや横ズレが生じるおそれがない。
【００５７】
［第２実施形態］
図３（ａ）〜（ｃ）は、第２実施形態に係る建造物の施工方法を模式的に示す部分拡大斜視図である。図４は、図３（ｂ）に示した基礎パッキン及び基礎を上方から見た様子を模式的に示す平面図である。なお、図３及び図４においては、上述した図１及び図２に示した構成要素と対応する構成要素には同一の符号を付した。
【００５８】
（ｉ）建造物（図示せず）を建てるべき部分の内殻部及び外殻部に、幅Ｗｆ１２０ｍｍのコンクリート基礎１０を作る（図３（ａ）、図４参照）。
【００５９】
（ii）次に、コンクリート基礎１０の上面１１に墨出し線を描かず、コンクリート基礎１０の上面１１に基礎パッキン２０を載置する（図３（ｂ）、図４参照）。基礎パッキン２０については既に説明済であるので、ここでの説明は省略する。この（ii）の工程においては、基礎パッキン２０の長辺外側面２２に形成された溝２５の底面２３と、コンクリート基礎１０の壁面１２とが略同一平面上に位置するように、コンクリート基礎１０の上面１１に基礎パッキン２０を載置する。このとき、長辺外側面２２とコンクリート基礎１０の壁面１２との距離は、溝２５の深さＤ（６ｍｍ）と同じになる。
【００６０】
（iii）次に、基礎パッキン２０上に木製土台３０を載置する。このとき、溝２５の底面２３とコンクリート基礎１０の壁面１２とが略同一平面上に位置しているので、溝２５の底面２３を基準として木製土台３０の位置合わせを行うことにより、墨出し線を描くことなく、コンクリート基礎１０の壁面１２を基準とした木製土台３０の位置合わせを行うことができる。その後、アンカーボルト（図示せず）によって、コンクリート基礎１０と木製土台３０とを固定する。
【００６１】
次に、コンクリート基礎１０の壁面１２と、基礎パッキン２０の長辺外側面２２とにモルタル４０を塗布して硬化させる。このとき、基礎パッキン２０の長辺外側面２２に形成さり複数の溝２５にモルタル４０が入り込んで硬化するため、モルタル４０と基礎パッキン２０との密着性が向上し、モルタル４０の剥離を防止することができる。また、モルタル４０を塗布する際には、基礎パッキン２０の上面２６を基準として溝２５から上方に食み出したモルタル４０を溝２５内に押し込むことにより、突出部分の平坦さを容易に確保することができるため、外装板の一部となる板状体５０の位置合わせを正確に行うことができる。
【００６２】
次に、モルタル４０の上側に位置するように、外装板の一部となる板状体５０を木製土台３０に取り付ける（図３参照）。このとき、基礎パッキン２０の突出部分の上面２６を基準として、外装板の一部となる板状体５０の位置合わせを行うことができるため、外装板の一部となる板状体５０の位置合わせが容易であり、スムーズな施工が可能となる。
【００６３】
図３及び図４を用いて説明したように、第２実施形態に係る建造物の施工方法によれば、基礎パッキン２０の一方の長辺外側面２２が、コンクリート基礎１０の壁面（外側面）１２より外部空間側に位置するため、基礎パッキン２０の上面２６に木製土台３０を載置しても、基礎パッキン２０の上面２６の全てが木製土台３０によって覆われることがなく、基礎パッキン２０の突出部分の上面２６には木製土台３０が及ばない（図３（ｃ）参照）。従って、突出部分の上面２６を基準として、外装板の一部となる板状体５０の位置合わせを容易に行うことが可能となり、スムーズな施工を行うことが可能となる。
また、モルタル４０を塗布する際、基礎パッキン２０の長辺外側面２２に形成された複数の溝２５にモルタル４０が入り込んで硬化するため、モルタル４０と基礎パッキン２０との密着性が向上し、モルタル４０の剥離を防止することができるとともに、基礎パッキン２０の滑りや横ズレ等を防止することができる。
【００６４】
また、第２実施形態に係る建造物の施工方法では、基礎パッキン２０の一方の長辺外側面２２に形成された溝２５の底面２３と、コンクリート基礎１０の壁面１２とが略同一平面上に位置するように、基礎パッキン２０をコンクリート基礎１０の上面１１に載置し、溝２５の底面２３を基準とした木製土台３０の位置合わせを行っている。このようにした場合、墨出し線を描く工程を省略し、コンクリート基礎１０の壁面１２を基準とした木製土台３０の位置合わせを行うことができる。
【００６５】
なお、第２実施形態に係る建造物の施工方法においては、コンクリート基礎１０の上面１１に墨出し線（逃げ墨）を描いた後、基礎パッキン２０の一方の長辺外側面２２に形成された溝２５の底面２３が墨出し線上に位置するように、基礎パッキン２０をコンクリート基礎１０の上面１１に載置し、溝２５の底面２３を基準とした木製土台３０の位置合わせを行うこととしてもよい。このようにした場合、コンクリート基礎１０にうねりが生じていても、墨出し線を基準とした木製土台３０の正確な位置合わせを行うことができる。
【００６６】
以上、第１、第２実施形態に係る建造物の施工方法について説明したが、本発明の建造物の施工方法に用いる基礎パッキンとしては、所定の厚さを有する矩形板状の基体の長辺外側面に上下方向に貫通した複数の溝が形成された基礎パッキンであれば、特に限定されるものではない。ただし、本発明の建造物の施工方法においては、基礎の上面の全周域を覆うように基礎パッキンを載置しても、墨出し線を視認し得るようにすることができるから、長尺の基礎パッキンを好適に使用することができる。長尺の基礎パッキンを用いる場合には、部品点数を少なくすることができ、有利である。
【００６７】
また、本発明の建造物の施工方法においては、基礎の側面と基礎パッキンの基体の長辺外側面とにモルタルを塗布して硬化させることにより、モルタルと基礎パッキンとの密着性を向上させてモルタルの剥離や基礎パッキンの滑り、横ズレを防止することができるから、遮蔽型の基礎パッキンを好適に使用することができる。
【００６８】
上述した第２実施形態に係る建造物の施工方法によれば、基礎パッキンの上面の一部を基準として、外装板又は外装板の一部となる板状体の位置合わせを行うことが可能となるが、本発明の建造物の施工方法においては、外装板又は外装板の一部となる板状体の位置合わせではなく、内装板又は内装板の一部となる板状体の位置合わせを行うこととしてもよい。
【図面の簡単な説明】
【００６９】
【図１】（ａ）〜（ｃ）は、第１実施形態に係る建造物の施工方法の一例を模式的に示す斜視図である。
【図２】図１（ｂ）に示した基礎パッキン及び基礎を上方から見た様子を模式的に示す平面図である。
【図３】（ａ）〜（ｃ）は、第２実施形態に係る建造物の施工方法の一例を模式的に示す斜視図である。
【図４】図３（ｂ）に示した基礎パッキン及び基礎を上方から見た様子を模式的に示す平面図である。
【図５】従来の基礎パッキンの一例を模式的に示す斜視図である。
【図６】コンクリート基礎の上面の全周域を覆うように長尺の基礎パッキンを載置した様子を模式的に示す斜視図である。
【図７】（ａ）〜（ｃ）は、従来の建造物の施工方法の一例を模式的に示す斜視図である。
【図８】（ａ）〜（ｂ）は、従来の建造物の施工方法の他の一例を模式的に示す斜視図である。
【符号の説明】
【００７０】
１０  コンクリート基礎
１１  上面
１２  壁面
１３  墨出し線
２０  基礎パッキン
２１  基体
２２  長辺外側面
２３  （溝の）底面
２４  ボルト挿通孔
２５  溝
２６  上面
３０  木製土台
４０  モルタル
５０  板状体
１００  基礎パッキン
１０１、１０３  窪み
１０２  突起
１０４  溝
１０５  穴
２００  コンクリート基礎
２０１、２０２  部屋となる領域
２０３  玄関となる領域
３００  遮蔽型の基礎パッキン
３０１  換気型の基礎パッキン
３０２  アンカーボルト
４１０  コンクリート基礎
４１１  上面
４１２  壁面
４１３  墨出し線
４２０、５２０  基礎パッキン
４２１、５２１  基体
４２２、５２２  長辺外側面
４２４、５２４  ボルト挿通孔
４３０  木製土台
４４０  モルタル
４５０  板状体
【図１】
2005299177.tif 000003
【図２】
2005299177.tif 000004
【図３】
2005299177.tif 000005
【図４】
2005299177.tif 000006
【図５】
2005299177.tif 000007
【図６】
2005299177.tif 000008
【図７】
2005299177.tif 000009
【図８】
2005299177.tif 000010